(57)【要約】【課題】  主に上ケースと下ケースとがビス止めによって接合されるケースに対し、不正に分解されたか、否かを一目で確実に識別できるようにして、その不正行為を心理的に防止するようにした記録メディアカートリッジの提供を課題とする。【解決手段】  上ケース１６と下ケース１８とが複数のビス３９によって接合され、記録メディアＴを収容するケース１２を備えた記録メディアカートリッジ１０において、上ケース１６と下ケース１８とを接合した複数のビス３９のうち、少なくとも１つのビス３９の頭部に塗料Ｐを塗布する。【選択図】      図４
2005135486.tif 000002
【特許請求の範囲】
【請求項１】
上ケースと下ケースとが複数のビスによって接合され、記録メディアを収容するケースを備えた記録メディアカートリッジにおいて、
前記上ケースと下ケースとを接合した複数のビスのうち、少なくとも１つのビスの頭部に塗料を塗布したことを特徴とする記録メディアカートリッジ。
【請求項２】
前記塗料は、前記ビスの頭部に形成されたドライバー嵌合溝内のみに塗布されていることを特徴とする請求項１に記載の記録メディアカートリッジ。
【請求項３】
前記塗料は、紫外線を照射することにより硬化するタイプの塗料であることを特徴とする請求項１又は２に記載の記録メディアカートリッジ。
【請求項４】
前記塗料の色は、少なくとも前記ビスの色とは異なることを特徴とする請求項１乃至３の何れかに記載の記録メディアカートリッジ。
【発明の詳細な説明】
【技術分野】
【０００１】
本発明は、上ケースと下ケースとをビス止めによって接合してなるケース内に、主にコンピューター等の記録再生媒体として使用される光ディスク、磁気ディスク、磁気テープ等の記録メディアを収容してなる記録メディアカートリッジに関する。
【背景技術】
【０００２】
従来から、コンピューター等のデータ記録再生媒体として使用されている磁気テープを単一のリールに巻装し、そのリールをケース内に収容してなる磁気テープカートリッジ（記録メディアカートリッジ）が知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開口から露出しているリールの下面中央にはリールギアが環状に刻設されており、ドライブ装置側の回転シャフトに設けられた駆動ギアがそのリールギアに噛合することにより、リールが回転駆動するように構成されている。したがって、磁気テープカートリッジのリール及びドライブ装置の巻取リールを同期して回転させることにより、磁気テープにデータを記録したり、磁気テープに記録されたデータの再生ができる。
【０００４】
このような構成の磁気テープカートリッジ（記録メディアカートリッジ）において、磁気テープを巻装した単一のリールが収容される合成樹脂製ケースは、主に略矩形トレイ状の上ケースと下ケースとが超音波溶着やビス止め等によって接合されてなる。特にビス止めによって上ケースと下ケースとが接合される場合には、上ケースと下ケースの隅角部付近等に、それぞれ互いに対向して当接するビスボスが立設され、下ケースの下面（底面）側からそのビスボスにビスが螺合されて、上ケースと下ケースとが接合される構成になっている（例えば、特許文献１参照）。
【０００５】
しかしながら、このように、ビス止めによって上ケースと下ケースとが接合されていると、ケースの分解が容易にできてしまう問題があった。すなわち、例えばケース内に収容されている磁気テープがリール毎すり替えられたり、磁気テープカートリッジ（記録メディアカートリッジ）についての各種情報が記録されたメモリーボードがすり替えられて、本来記録不可とされたものが上書きされてしまうなどのトラブルが発生するおそれがあった。特に、１度書き込んだら、読み込み専用となって上書きできないようになるＷＯＲＭ（Ｗｒｉｔｅ  Ｏｎｃｅ  Ｒｅａｄ  Ｍａｎｙ）カートリッジの場合、重要なデータが記録されることが多いので、このような改ざんが行われると、その被害は甚大なものになってしまう。
【０００６】
そのため、ビス止めによって上ケースと下ケースを接合した後、そのビスが没入した下ケースのビスボスの穴に樹脂を充填して、ビスを取り外し不能とすることが提案された（例えば、特許文献２、特許文献３参照）。このような構成にすれば、不正な分解行為が確実に阻止されるので好ましいが、磁気テープカートリッジ（記録メディアカートリッジ）をリサイクルしようとする（正規に分解しようとする）場合には、逆に分解し難くなるという問題が生じる。
【０００７】
また、不正な分解行為を阻止するために、上ケースと下ケースとを超音波溶着等によって接合してなる磁気テープカートリッジがある。しかしながら、この磁気テープカートリッジの場合には、全周に亘って溶着されると、時として磁気テープ自体や、ケース内に配設されている各種摺動部材等の動きに影響を及ぼすおそれがあった。例えば、スライド（摺動）して開口を開閉するドアを備えた磁気テープカートリッジの場合には、そのドアの摺動性が損なわれるという不具合が起きるおそれがあった。そのため、部分的に溶着することも考えられたが、これでは不正に分解される行為を完全に防ぎきることができなくなってしまう。
【特許文献１】特開平１１−３３９４３６号公報
【特許文献２】実開昭５９−１１８１８９号公報
【特許文献３】実開昭５８−１６５７８９号公報
【発明の開示】
【発明が解決しようとする課題】
【０００８】
そこで、本発明は、主に上ケースと下ケースとがビス止めによって接合されるケースに対し、不正に分解されたか、否かを一目で確実に識別できるようにして、その不正行為を心理的に防止するようにした記録メディアカートリッジを得ることを目的とする。
【課題を解決するための手段】
【０００９】
上記の目的を達成するために、本発明に係る請求項１に記載の記録メディアカートリッジは、上ケースと下ケースとが複数のビスによって接合され、記録メディアを収容するケースを備えた記録メディアカートリッジにおいて、前記上ケースと下ケースとを接合した複数のビスのうち、少なくとも１つのビスの頭部に塗料を塗布したことを特徴としている。
【００１０】
請求項１の発明では、上ケースと下ケースとを接合した複数のビスのうち、少なくとも１つのビスの頭部に塗料を塗布したので、不正に分解しようとして、ドライバー等でそのビスを回した場合には、それに塗布された塗料が剥がれる。つまり、ビスの頭部に塗布された塗料が剥がれることで、その記録メディアカートリッジ（ケース）が不正に分解されたことが一目で認識できるので、そのような不正行為（分解行為）を心理的に防止することができる。
【００１１】
また、請求項２に記載の記録メディアカートリッジは、請求項１に記載の記録メディアカートリッジにおいて、前記塗料が、前記ビスの頭部に形成されたドライバー嵌合溝内のみに塗布されていることを特徴としている。
【００１２】
請求項２の発明では、ビスの頭部に形成されたドライバー嵌合溝内にのみ、塗料が塗布されるので、１つの記録メディアカートリッジに対する塗料の使用量を低減することができる。したがって、コスト的に好ましいものとなる。
【００１３】
また、請求項３に記載の記録メディアカートリッジは、請求項１又は２に記載の記録メディアカートリッジにおいて、前記塗料が、紫外線を照射することにより硬化するタイプの塗料であることを特徴としている。
【００１４】
請求項３の発明では、ビスの頭部に塗布する塗料が、紫外線を照射することにより硬化するタイプの塗料であるため、即時に硬化する。つまり、記録メディアカートリッジの製造工程において、塗料の乾燥時間が短くて済む。また、溶剤分の蒸発がないため、記録メディアに影響を与える心配もない。更に、金属に対しての密着性が弱いため、ドライバーによってビスを回した場合には確実に剥がれる。
【００１５】
また、請求項４に記載の記録メディアカートリッジは、請求項１乃至３の何れかに記載の記録メディアカートリッジにおいて、前記塗料の色が、少なくとも前記ビスの色とは異なることを特徴としている。
【００１６】
請求項４の発明では、塗料の色が少なくともビスの色とは異なるため、不正に分解されたか、否かの識別が一目で容易かつ確実にできる。
【発明の効果】
【００１７】
以上、何れにしても本発明によれば、主に上ケースと下ケースとがビス止めによって接合されるケースに対し、不正に分解されたか、否かを一目で確実に識別することができる。したがって、そのような不正行為を心理的に防止することができる。
【発明を実施するための最良の形態】
【００１８】
以下、本発明の実施の形態に係る記録メディアカートリッジを、図面に示す磁気テープカートリッジ１０を例に採って説明する。まず最初に、磁気テープカートリッジ１０の全体構成を説明し、次いで、本発明に係る要部について詳細に説明する。なお、説明の便宜上、磁気テープカートリッジ１０のドライブ装置への装填方向を矢印Ａで示し、それを磁気テープカートリッジ１０の前方向（前側）とする。そして、矢印Ａと直交する矢印Ｂ方向を右方向とする。
【００１９】
図１乃至図３で示すように、磁気テープカートリッジ１０は、平面視で略矩形状の合成樹脂製ケース１２内に、情報記録再生媒体である磁気テープＴを巻装した単一のリール１４を回転可能に収容して構成されている。ケース１２は、ドライブ装置への装填方向先頭側の１つの角部である右前角部が平面視でそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００２０】
また、上ケース１６及び下ケース１８の周壁１６Ａ、１８Ａの切り取られた角部が磁気テープＴを引き出すための開口２０とされ、この開口２０から引き出される磁気テープＴの自由端に、ドライブ装置の引出手段（図示省略）によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００２１】
また、ケース１２の開口２０の内側、即ち上ケース１６の天板内面及び下ケース１８の底板内面には、ケース１２内においてリーダーピン２２を位置決め、保持する上下一対のピン保持部２４が設けられている。このピン保持部２４は、磁気テープＴの引き出し側が開放された略半円筒形状をしており、直立状態のリーダーピン２２の両端部は、その開放側からピン保持部２４の凹部２４Ａ内に出入可能とされて保持される。
【００２２】
ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３に、その基部が挿入されて固定配置されるようになっており、この板ばね２５の二股状の先端部がリーダーピン２２の上下両端部にそれぞれ係合してリーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００２３】
更に、下ケース１８の中央部には、リール１４のリールギア１３を外部に露出するためのギア開口２６が設けられており、リール１４はリールギア１３がドライブ装置の駆動ギア（図示省略）に噛合されて、ケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００２４】
この遊動規制壁２８の開口２０近傍の端部には、内部に位置規制用穴４３が形成された袋部２８Ａが連設されている。また、ケース１２の左前角部の内側においては、長穴である位置規制用穴４５が形成された袋部２９が遊動規制壁２８とは離間して設けられている。袋部２８Ａ、２９は、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００２５】
また、下ケース１８の右後部には、各磁気テープカートリッジ１０毎に、その各種情報を記憶されたメモリーボードＭが設置されるようになっており、ケース１２の下面（底面）側から読み取るドライブ装置と、後壁（背面）側から読み取るライブラリー装置（複数の磁気テープカートリッジ１０を収容し、ドライブ装置に対して自動的に装填・取出をする装置）での検知が可能となるように、下ケース１８の両端部を除く後部内壁１８Ｂが所定角度の傾斜面に形成され、メモリーボードＭがその後部内壁１８Ｂと支持突起１９とにより支持されて、所定角度に傾斜配置されるようになっている。
【００２６】
また、下ケース１８の左後部には、その磁気テープカートリッジ１０への記録可・不可が設定されるライトプロテクト６０が、左右（幅）方向に摺動可能に設けられるようになっており、後部内壁１８Ｂには、ライトプロテクト６０を人手で操作するための操作突起６２が突出する略矩形状の開孔１５が穿設されている。そして、下ケース１８の下面（底面）には、ドライブ装置が記録可・不可を識別するための識別用突起６４が露出する略楕円形状の開孔１７が穿設されている。
【００２７】
また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２８】
また、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２９】
また、ケース１２（上ケース１６及び下ケース１８）において、袋部２９近傍の遊動規制壁２８と前壁１２Ａとの間の所定位置にも、上下一対のビスボス３３が設けられており、左壁１２Ｃ及び右壁１２Ｂの近傍で、かつ後部内壁１８Ｂの左右両側方の所定位置（両角部近傍）にも、上下一対のビスボス３５、３７が設けられている。これら上下一対のビスボス３２、３３、３５、３６、３７は、下ケース１８側が貫通し、上ケース１６側が非貫通となっており、ビス３９は下ケース１８の下面（底面）側から螺合されるようになっている。
【００３０】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を略矩形状に切り欠いて形成され、開口２０側へも開放されている。このように、スリット４０が周壁１６Ａの一部を上側に残して形成されると、ケース１２の剛性を維持することができるので好ましい。
【００３１】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁１２Ｃ側にも形成され、例えばドライブ装置の引き込み手段（図示省略）が係合する係合部とされたり、その天面（下向きの面）がドライブ装置内での位置決め用の基準面とされるようになっている。
【００３２】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁１２Ｃの上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００３３】
また、上ケース１６及び下ケース１８において、傾斜壁部３０の近傍と、開口２０近傍から後壁の近傍まで、後述するドア５０の凸部５１を内面側及び外面側の両側方から挟み込むように支持する所定高さ（例えば、１．０ｍｍ〜１．５ｍｍ程度）のガイド壁部４２が立設されている。このガイド壁部４２は、平面視略円弧状に形成されるとともに、上ケース１６と下ケース１８とではその長さが異なっており、上ケース１６側の方が下ケース１８側よりも後側が長く形成されている。これは、下ケース１８の後部内壁１８Ｂの右壁１２Ｂ側に、メモリーボードＭを所定角度で傾斜配置しているからである。
【００３４】
また、ガイド壁部４２の後端部は平面視略円弧状に閉塞されており、ドア５０がそれ以上後方へ移動できないように、上下それぞれ最も後側の凸部５１を規制するようになっている。一方、ガイド壁部４２の前端部は開放されており、リーダーピン２２の出入時に、そのリーダーピン２２の出入を妨げないような位置、例えばピン保持部２４よりも後方側で、かつ開口幅の約半分程度の位置まで延設されている。
【００３５】
また、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００３６】
以上、説明した上ケース１６と下ケース１８とは、開口２０の縁部の近傍に位置する各ビスボス３２、３６と、上記各ビスボス３３、３５、３７に下ケース１８の下面（底面）側からビス３９がねじ込まれて（螺合されて）固定（接合）される構成である。これによって、特に傾斜壁部３０（前壁１２Ａ）及び傾斜壁部３４（右壁１２Ｂ）の各自由端によって規定され、強度的に不利で落下によって地面等に衝突し易い開口２０両端のコーナー部は強固に接合され、ケース１２を落しても、磁気テープカートリッジ１０全体の重量で変形したり、座屈して位置ずれしたりしない構成である。なお、このようなビス止めにすると、磁気テープカートリッジ１０をリサイクルする際に分解し易いので好ましい。
【００３７】
また、その開口２０は、遮蔽部材としてのドア５０によって開閉されるようになっている。ドア５０は、少なくとも開口２０を閉塞する部分の板幅（高さ）が開口２０の開口高さと略同一に形成され、その板長が開口２０の開口幅よりも充分大きく形成されている。そして、所定の円周に沿って移動できるように、板厚方向に湾曲した平面視略円弧状に形成されている。
【００３８】
このドア５０は、その先端部が傾斜壁部３０の内側に入り込んだ状態で開口２０を閉塞し、上記した所定の円周に沿って略後方へスライド（摺動）して開口２０を開放し、その先端近傍の外周面がビスボス３６近傍に達すると、開口２０を完全に開放する構成になっている。そして、開口２０を開放する際と反対方向にスライド（摺動）することにより、開口２０を閉塞する構成になっている。
【００３９】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、下ケース１８の後部内壁１８Ｂに所定角度で傾斜配置されたメモリーボードＭを回避するために、斜めに切り欠かれている。
【００４０】
また、そのドア５０の上面及び下面には、ガイド壁部４２のガイド面（互いに対向している内面）と、ガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さになるように突設されている。なお、最後側の凸部５１が上下対称でないのは、ドア５０の後下部が斜めに切り欠かれていることによる。
【００４１】
このような凸部５１を設けると、ガイド壁部４２のガイド面並びにガイド壁部４２間の上ケース１６内面及び下ケース１８内面と、ドア５０との摺動抵抗（摩擦）を低減することができ、ドア５０を抵抗少なく、スムーズに摺動させることが可能となる。更に、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるような心配はない。
【００４２】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド壁部４２の後端部には、最後端側の凸部５１が当接している。
【００４３】
また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを防止するようにしている。そして、ドア５０を開口２０閉塞方向へ付勢する付勢部材としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設されている。
【００４４】
すなわち、ドア５０の後端近傍の内周面には、背面視略「Ｌ」字状のばね保持部５４が上方に向かって一体的に突設され、下ケース１８の凹部４８近傍の内面には、円柱状のばね係止部５５が上方に向かって突設されている。そして、コイルばね５６の両端にはリング状の取付部５６Ａ、５６Ｂがそれぞれ形成されている。したがって、コイルばね５６は、その一方の取付部５６Ｂをばね係止部５５に上方から挿入し、他方の取付部５６Ａをばね保持部５４に上方から挿入することにより、上記した空間内に簡単に取り付けられる。
【００４５】
以上のような構成の磁気テープカートリッジ１０において、上記したように、ケース１２はビス止めによって接合される。上ケース１６の各ビスボス３２、３３、３５、３６、３７の先端部（下端部）には、円筒状凸部が形成され、下ケース１８の各ビスボス３２、３３、３５、３６、３７の先端部（上端部）には、環状凹部が形成されており、各ビスボス３２、３３、３５、３６、３７は、その先端部が互いに当接して凹凸嵌合するいんろう構造となっている。
【００４６】
したがって、上ケース１６及び下ケース１８の各ビスボス３２、３３、３５、３６、３７は、成形上の位置ずれなどが規正されながら、良好に組み付けられ、これにより、上ケース１６と下ケース１８との接合精度が向上される。なお、円筒状凸部を下ケース１８の各ビスボス３２、３３、３５、３６、３７に形成し、環状凹部を上ケース１６の各ビスボス３２、３３、３５、３６、３７に形成したいんろう構造としてもよいことは言うまでもない。
【００４７】
各ビスボス３２、３３、３５、３６、３７が組み付けられると、下ケース１８の下面（底面）側から金属製のビス３９が螺合される。このビス３９は特殊なドライバーによってのみ螺合できるようなビスであることが好ましいが、特に限定されなくてもよい。そして、これにより、上ケース１６と下ケース１８とが接合されて、ケース１２が組み立てられるが、ビス３９を螺合した後、図４、図５（Ａ）で示すように、複数（図示のものは５つ）のビス３９のうち、少なくとも１つのビス３９の頭部全体に塗料Ｐが塗布される。
【００４８】
この塗料Ｐは、紫外線硬化型の塗料であり、紫外線を照射することにより即時硬化するタイプの塗料である。したがって、磁気テープカートリッジ１０の製造工程において、塗料Ｐを塗布した後の乾燥時間が短くて済む（数秒程度で済む）利点がある。また、この紫外線硬化型の塗料Ｐは、溶剤分の蒸発がないため、磁気テープＴに悪影響を与える心配がない利点もある。
【００４９】
更に、この塗料Ｐは、ビス３９の頭部に対し、２００μｍ〜３００μｍの厚さに塗布されるが、非接触（振動等）では剥がれる心配がない程度に、金属に対する密着性が弱い。そのため、ドライバーをビス３９の頭部に形成されたドライバー嵌合溝３９Ａ内に差し込んで回すと、図５（Ｂ）で示すように、確実に剥がれる性質を有する。したがって、磁気テープカートリッジ１０（ケース１２）を不正に分解しようとした場合には、一目でそれが容易かつ確実に認識でき、これによって、その不正な分解行為を心理的に防止することができる。
【００５０】
なお、この塗料Ｐの色としては、少なくともビス３９の色と（好ましくはケース１２の色とも）異なる色にすることが望ましく、より明るい鮮やかな色（例えば、ビス３９の色が銀色に対して、塗料Ｐの色が赤色）とすることが好ましい。これによれば、図５（Ｂ）で示すような塗料Ｐの剥離状態を、より一層認識し易くすることができる。また、ビス３９を不正に外し、再度塗料Ｐと同様な塗料を塗布するような改ざんが行われないようにするため、塗料Ｐに紫外線発光塗料等の特殊な塗料を使用して、改ざんが行われたか、否かの判別ができるようにしてもよく、その方が好ましい。
【００５１】
また、ビス３９の頭部に形成されたドライバー嵌合溝３９Ａ内にドライバーを差し込んでビス３９を回すので、図６、図７（Ａ）で示すように、塗料Ｐは、そのドライバー嵌合溝３９Ａ内にのみ塗布するようにしてもよい。これによれば、１つの磁気テープカートリッジ１０に対する塗料Ｐの使用量を低減できるので、コスト的に有利となる。そして、このような構成にしても、磁気テープカートリッジ１０（ケース１２）を不正に分解しようとした場合には、図７（Ｂ）で示すように、確実にその塗料Ｐが剥がれるので、一目でその不正行為が行われたことを認識できる。よって、その不正行為を心理的に防止することができる。
【００５２】
なお、塗料Ｐは、上ケース１６と下ケース１８とを接合した複数（図示のものは５つ）のビス３９のうち、少なくとも１つのビス３９の頭部に塗布すれば足りるが、全部のビス３９の頭部に塗布しても差し支えない。また、ビス３９の頭部に形成されたドライバー嵌合溝３９Ａに塗料Ｐを充填して、そのドライバー嵌合溝３９Ａを塗料Ｐで完全に埋めてしまうような構造にしてもよい。
【００５３】
以上のような構成の磁気テープカートリッジ１０において、次に、本実施の形態の作用について説明する。上記構成のケース１２を備えた磁気テープカートリッジ１０では、不使用時（保管時や運搬時等）には、開口２０がドア５０によって閉塞されている。そして、磁気テープＴを使用する際には、磁気テープカートリッジ１０を矢印Ａ方向に沿ってドライブ装置へ装填する。
【００５４】
すると、この装填に伴って、ドライブ装置の開閉手段を構成する開閉部材（図示省略）が、前方へ開放しているスリット４０に進入し、ドア５０の操作突起５２に係合する。そして、この状態で、磁気テープカートリッジ１０を更に押し込むと、この押し込み力によってコイルばね５６の付勢力に抗しつつ、開閉部材が操作突起５２を後方へ移動させる（矢印Ａ方向へ装填される磁気テープカートリッジ１０に対して後方へ相対移動させる）。
【００５５】
すると、その操作突起５２が突設されているドア５０は、凸部５１がガイド壁部４２によって案内され、その湾曲方向に沿って摺動する。すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、磁気テープカートリッジ１０がドライブ装置に所定深さ装填されると、開口２０が完全に開放される。
【００５６】
こうして、開口２０が開放された状態の磁気テープカートリッジ１０がドライブ装置内で位置決めされると、ドア５０はそれ以上の摺動（略後方への移動）が規制され、開放された開口２０からはドライブ装置の引出手段がケース１２内に進入し、この引出手段がピン保持部２４に位置決め保持されたリーダーピン２２を抜き出す。そして、図示しない巻取リールにリーダーピン２２を収容し、その巻取リールとリール１４とを同期して回転駆動する。すると、磁気テープＴは、巻取リールに巻き取られつつ順次ケース１２から引き出され、所定のテープ経路に沿って配設された記録再生ヘッド等によって情報の記録や再生が行われる。
【００５７】
一方、磁気テープカートリッジ１０をドライブ装置から排出する際には、磁気テープＴがリール１４に巻き戻され、リーダーピン２２がピン保持部２４に保持される。そして、磁気テープカートリッジ１０は、位置決め状態が解除され、コイルばね５６の付勢力又は図示しないイジェクト機構によって矢印Ａ方向とは反対方向に移動される。これにより、ドア５０は、その凸部５１がガイド壁部４２に案内されつつ、コイルばね５６の付勢力によって開口２０の閉塞方向へ摺動し、開口２０を完全に閉塞する（初期状態に復帰する）。
【００５８】
ここで、上ケース１６及び下ケース１８に設けられた各ビスボス３２、３３、３５、３６、３７は互いに凹凸嵌合するいんろう構造に形成されているので、上ケース１６及び下ケース１８は、各ビスボス３２、３３、３５、３６、３７において成形上の位置ずれがあっても、それが規正されながら、良好に組み付けられている（当接嵌合されている）。そして、下ケース１８の下面（底面）側から金属製のビス３９が螺合されることにより、上ケース１６と下ケース１８とが精度良く接合されている。
【００５９】
また、上ケース１６と下ケース１８とを接合した複数（図示のものは５つ）のビス３９のうち、少なくとも１つのビス３９の頭部全体、あるいはそのビス３９の頭部に形成されたドライバー嵌合溝３９Ａ内のみには、ビス３９の色とは異なる色の塗料Ｐが塗布されている。この塗料Ｐは、紫外線硬化型の塗料であり、金属に対する密着性が弱い性質を有している。
【００６０】
したがって、磁気テープカートリッジ１０（ケース１２）を不正に分解しようとして、そのビス３９のドライバー嵌合溝３９Ａ内にドライバーを差し込んで回した場合には、その塗料Ｐが確実に剥がれる。つまり、磁気テープカートリッジ１０（ケース１２）に対して不正な分解行為が行われた場合には、それを一目で容易かつ確実に認識できるようになっているので、その不正行為（分解行為）を心理的に防止することができる。
【００６１】
しかも、このように、ビス３９の頭部（少なくともドライバー嵌合溝３９Ａ内）に紫外線硬化型の塗料Ｐを塗布するという簡単な構成だけで、磁気テープカートリッジ１０（ケース１２）を不正に分解しようとする者に対して、分解し難い印象を与えることができる（分解できるという印象を与えないようにできる）ので、従来のように、ビスが没入したビスボスの穴に樹脂を充填して不正行為を防止するようにしたものに比べ、コスト的にも好ましいし、逆に磁気テープカートリッジ１０をリサイクルする際など、正規に分解する必要がある場合にも容易に分解できるので好ましい。
【００６２】
以上、何れにしても上記実施例では、磁気テープカートリッジ１０を例に採って説明したが、本発明に係る記録メディアは磁気テープＴに限定されるものではなく、光ディスクや磁気ディスク等、広義の記録メディアを含む。そして、本発明は、そのような記録メディアをケース内に収容してなる記録メディアカートリッジ全般に適用することができる。
【図面の簡単な説明】
【００６３】
【図１】磁気テープカートリッジの上方から見た概略斜視図
【図２】磁気テープカートリッジの概略分解斜視図
【図３】磁気テープカートリッジの下方から見た概略斜視図
【図４】ビスの頭部全体に塗料が塗布されている様子を示す一部拡大概略底面図
【図５】（Ａ）図４の塗料が剥がれていないビスの頭部を示す概略平面図、（Ｂ）図４の塗料が剥がれたビスの頭部を示す概略平面図
【図６】ビスの頭部に形成されたドライバー嵌合溝内のみに塗料が塗布されている様子を示す一部拡大概略底面図
【図７】（Ａ）図６の塗料が剥がれていないビスの頭部を示す概略平面図、（Ｂ）図６の塗料が剥がれたビスの頭部を示す概略平面図
【符号の説明】
【００６４】
１０  磁気テープカートリッジ（記録メディアカートリッジ）
１２  ケース
１６  上ケース
１８  下ケース
３２、３３、３５、３６、３７  ビスボス
３９  ビス
３９Ａ  ドライバー嵌合溝
Ｐ  塗料
【図１】
2005135486.tif 000003
【図２】
2005135486.tif 000004
【図３】
2005135486.tif 000005
【図４】
2005135486.tif 000006
【図５】
2005135486.tif 000007
【図６】
2005135486.tif 000008
【図７】
2005135486.tif 000009